(57)【要約】【課題】施主やデザイナー等が玄関ドアをデザインでき、かつ玄関ドア製造メーカーにおけるその玄関ドアの製作、施工までの時間を短縮でき、コストも低減できる玄関ドア設計システムの提供。【解決手段】玄関ドア設計システム１は、入力手段、表示手段、処理手段、記憶手段を備える。処理手段１３は、玄関ドアのドア枠タイプの選択肢およびドア開口寸法の入力欄を表示して入力記憶させるドア枠情報入力処理手段１１０と、扉の框構造情報の入力欄、パネルやガラスの選択肢を表示して入力記憶させる扉情報入力処理手段１２０と、ドア枠や扉の色を入力記憶させる色情報入力処理手段１３０と、金物情報を入力記憶させる金物情報入力処理手段１４０と、姿図を作図する作図手段１５０とを備える。【選択図】  図４
2004263434.tif 000002
【特許請求の範囲】
【請求項１】
玄関ドアを設計する玄関ドア設計システムであって、
情報入力用の入力手段と、情報表示用の表示手段と、入力された情報を処理する処理手段と、各種情報を記憶する記憶手段とを備え、
前記処理手段は、少なくとも玄関ドアのドア枠タイプの選択肢およびドア開口寸法の入力欄を表示手段に表示し、かつ選択されたドア枠タイプおよび入力された寸法の各情報を記憶手段に記憶させるドア枠情報入力処理手段と、
玄関ドアの扉の框構造を特定するための框構造情報の入力欄およびパネルやガラスの選択肢を表示手段に表示し、かつ入力された框構造情報およびパネル、ガラスの情報を記憶手段に記憶させる扉情報入力処理手段と、
玄関ドアのドア枠や扉の色の入力欄を表示手段に表示し、かつ入力された色情報を記憶手段に記憶させる色情報入力処理手段と、
玄関ドアに用いられる金物に関する情報の入力欄を表示手段に表示し、かつ入力された金物情報を記憶手段に記憶させる金物情報入力処理手段と、
記憶手段に記憶された各情報に基づいて玄関ドアの姿図を作図して表示手段に表示する作図手段と、を備える玄関ドア設計システム。
【請求項２】
前記ドア枠情報入力処理手段は、前記選択肢として、選択可能なドア枠タイプを図示したものを一覧表示した選択表を表示手段に表示し、
前記作図手段は、選択表で選択されたドア枠タイプに対応するドア枠の姿図を表示手段に表示し、
前記ドア枠情報入力処理手段は、ドア枠の姿図に各寸法の入力欄を表示する請求項１に記載の玄関ドア設計システム。
【請求項３】
前記ドア枠情報入力処理手段は、ドア枠を構成する枠材の幅寸法は予め設定された複数種類の寸法から選択させ、枠材の長さ寸法はその寸法を直接入力させる請求項１または請求項２に記載の玄関ドア設計システム。
【請求項４】
前記扉情報入力処理手段は、扉の上框、下框および左右の縦框の各幅寸法は予め設定された複数種類の寸法から選択させるとともに、
中骨を配置する場合には、中骨の本数および幅寸法を入力させ、かつ、ドア枠情報入力処理手段で入力された情報および入力された各框や中骨の幅寸法に基づいて各框の長さ寸法を算出する請求項１〜３のいずれかに記載の玄関ドア設計システム。
【請求項５】
前記作図手段は、扉情報入力処理手段によって入力された框や中骨の情報に基づいて扉の姿図を作成して表示手段に表示し、
前記扉情報入力処理手段は、扉姿図に示された各框や中骨で区画され、パネルやガラスが配置される開口部分が指定され、かつ、予め表示されているパネルやガラスの選択肢が選択されると、姿図の指定された開口部分に選択されたパネルやガラスを表示し、かつ、指定された開口情報に基づいて選択されたパネル、ガラスの寸法や額縁の種類の情報を記憶手段に記憶させる請求項１〜４のいずれかに記載の玄関ドア設計システム。
【請求項６】
前記記憶手段は、ドア枠において選択可能な形材、部品の情報が記録されたドア枠用マスターテーブルと、扉において選択可能な形材、部品の情報が記録された扉用マスターテーブルと、ドアにおいて利用可能な金物の情報が記録された金物用マスターテーブルとが記憶されている請求項１〜５のいずれかに記載の玄関ドア設計システム。
【請求項７】
前記記憶手段は、ドア枠、扉、金物において選択可能な色の情報が記録された色情報用マスターテーブルが記憶され、この色情報用マスターテーブルには、ドア枠および扉の主要色に対応する部品や金物の標準色の組み合わせ情報が記憶されている請求項１〜６のいずれかに記載の玄関ドア設計システム。
【請求項８】
前記処理手段は、前記記憶手段に記憶されたドア枠、扉、金物の情報に基づいて、設計されたドアの製造に必要な形材、部品、金物の情報を一覧表として出力する入力情報出力手段を備えることを特徴とする請求項１〜７のいずれかに記載の玄関ドア設計システム。
【請求項９】
前記入力情報出力手段は、設計されたドアの製品原価を算出し、この製品原価に基づいて求められた販売価格情報を含む見積書を出力可能に構成されていることを特徴とする請求項８に記載の玄関ドア設計システム。
【請求項１０】
前記入力情報出力手段は、設計されたドアの製作時間を算出し、この製作時間に基づいて求められたドアの納期を出力可能に構成されていることを特徴とする請求項８または請求項９に記載の玄関ドア設計システム。
【請求項１１】
玄関ドア設計システムは、電気通信回線を介して通信可能に接続されたクライアント装置と、玄関ドア設計用サーバ装置とを備え、
前記クライアント装置は、情報入力用の入力手段と、情報表示用の表示手段と、受信した情報を前記表示手段に出力する受信情報出力手段と、前記入力手段で入力された情報を前記サーバ装置に送信可能な入力情報送信手段と、を備え、
前記玄関ドア設計用サーバ装置は、前記処理手段と、記憶手段とを備えるとともに、クライアント装置から送信された情報を前記処理手段に入力する受信情報入力手段と、クライアント装置に対して情報を出力してクライアント装置の表示手段に情報を表示させる表示情報送信手段とを備える請求項１〜１０のいずれかに記載の玄関ドア設計システム。
【請求項１２】
電気通信回線を介してクライアント装置に通信可能に接続された玄関ドア設計用サーバ装置であって、
処理手段と、記憶手段と、クライアント装置から送信された情報を前記処理手段に入力する受信情報入力手段と、クライアント装置に対して情報を出力してクライアント装置の表示手段に情報を表示させる表示情報送信手段とを備えるとともに、
前記処理手段は、少なくとも玄関ドアのドア枠タイプの選択肢およびドア開口寸法の入力欄をクライアント装置の表示手段に表示させ、かつクライアント装置で選択されたドア枠タイプおよび入力された寸法の各情報を記憶手段に記憶させるドア枠情報入力処理手段と、
玄関ドアの扉の框構造を特定するための框構造情報の入力欄およびパネルやガラスの選択肢をクライアント装置の表示手段に表示させ、かつクライアント装置で入力された框構造情報およびパネル、ガラスの情報を記憶手段に記憶させる扉情報入力処理手段と、
玄関ドアのドア枠や扉の色の入力欄をクライアント装置の表示手段に表示させ、かつクライアント装置で入力された色情報を記憶手段に記憶させる色情報入力処理手段と、
玄関ドアに用いられる金物に関する情報の入力欄をクライアント装置の表示手段に表示させ、かつクライアント装置で入力された金物情報を記憶手段に記憶させる金物情報入力処理手段と
記憶手段に記憶された各情報に基づいて玄関ドアの姿図を作図してクライアント装置の表示手段に表示させる作図手段と、を備える玄関ドア設計用サーバ装置。
【請求項１３】
少なくとも玄関ドアのドア枠タイプの選択肢およびドア開口寸法の入力欄を表示手段に表示し、かつ選択されたドア枠タイプおよび入力された寸法の各情報を記憶手段に記憶させるドア情報入力処理工程と、
玄関ドアの扉の框構造を特定するための框構造情報の入力欄およびパネルやガラスの選択肢を表示手段に表示し、かつ入力された框構造情報およびパネル、ガラスの情報を記憶手段に記憶させる扉情報入力工程と、
玄関ドアのドア枠や扉の色の入力欄を表示手段に表示し、かつ入力された色情報を記憶手段に記憶させる色情報入力工程と、
玄関ドアに用いられる金物に関する情報の入力欄を表示手段に表示し、かつ入力された金物情報を記憶手段に記憶させる金物情報入力工程と、
記憶手段に記憶された各情報に基づいて玄関ドアの姿図を作図して表示手段に表示する作図工程とを備える玄関ドア設計方法。
【請求項１４】
コンピュータを、請求項１から８のいずれかに記載の玄関ドア設計システムとして機能させることを特徴とする玄関ドア設計プログラム。
【発明の詳細な説明】
【０００１】
【発明の属する技術分野】
本発明は、玄関ドア設計システム、玄関ドア設計用サーバ装置、玄関ドア設計プログラムおよび玄関ドア設計方法に係り、特に、施主や住宅の設計者が玄関ドアを設計する際に利用できる玄関ドア設計システム、玄関ドア設計用サーバ装置、玄関ドア設計プログラムおよび玄関ドア設計方法に関する。
【０００２】
【背景技術】
住宅の玄関ドアは、デザインや寸法が規格化されており、新築住宅やリフォーム時に新しい玄関を選定する場合は、規格化された製品の中から選んでいた。
このような玄関ドアの選択は、通常、施主やデザイナー（設計者）等が玄関ドアのカタログを見て選択していたが、近年、コンピュータやインターネットを利用して画面を見ながら選択できるようなシステムも開発されつつある（例えば、特許文献１参照）。
【０００３】
【特許文献１】
特開２０００−３０５９８７号公報
【０００４】
【発明が解決しようとする課題】
しかしながら、カタログから選択する場合およびコンピュータシステムを用いて選択する場合のいずれもが、予め規格化された玄関ドアの中から選択するしかなく、必ずしも施主やデザイナー等が満足できるものが選べないという問題があった。
特に、玄関ドアは、住宅の顔とも言うべき部分であり、施主やデザイナーは、建物のデザイン上、個性的なデザインの玄関ドアを希望することが多いが、従来は必ずしも施主等の要望に応えることができないという問題があった。すなわち、規格品では、住宅産業における差別化・個性化・ファッション化に対して迅速な対応ができないという問題があった。
【０００５】
一方、施主やデザイナーが、自らがイメージする玄関ドアをデザインし、玄関ドアメーカーに発注して製造することも考えられる。
しかしながら、施主やデザイナーが玄関ドアをデザインする場合、その玄関ドアが製造可能であるか否か、玄関ドアに要求される性能（強度、防水、遮音、断熱等）を満たしているか否かを判断しながら設計しなければならず、デザインする際には専門知識が必要となる。このため、デザイナー等が玄関ドアを自由に設計することは現実には難しいという問題がある。
【０００６】
さらに、玄関ドアを実際に製作可能であるか、性能を満たしているのかに関しては、玄関ドアのメーカーが最終確認する必要があり、その判断に時間がかかり、費用も高くなるという問題がある。
例えば、デザイナー等が玄関ドアをデザインした場合、玄関ドアメーカーは、そのデザインを基に、性能や部材の拾い出し、見積もり、部品展開、製作などの工程を行って玄関ドアを製造しなければならず、納期が長くなり、価格も高くなる。また、玄関ドアの性能を保証するためには、施主やデザイナーがデザインした玄関ドアに対して性能試験を行わなければならず、費用及び時間がかかる。
このため、施主やデザイナーが玄関ドアを設計しても、現実にはそのドアを製造することは費用および時間的に困難であり、結局、施主やデザイナーはドア製造メーカーが用意した規格品から選択するしかないという問題があった。
【０００７】
本発明の目的は、施主やデザイナー等の専門知識が無い人であっても玄関ドアをデザインすることができ、かつ玄関ドア製造メーカーにおけるその玄関ドアの製作、施工までの時間を短縮でき、コストも低減できる玄関ドア設計システム、玄関ドア設計用サーバ装置、玄関ドア設計プログラムおよび玄関ドア設計方法を提供することにある。
【０００８】
【課題を解決するための手段】
本発明は、玄関ドアを設計する玄関ドア設計システムであって、情報入力用の入力手段と、情報表示用の表示手段と、入力された情報を処理する処理手段と、各種情報を記憶する記憶手段とを備え、前記処理手段は、少なくとも玄関ドアのドア枠タイプの選択肢およびドア開口寸法の入力欄を表示手段に表示し、かつ選択されたドア枠タイプおよび入力された寸法の各情報を記憶手段に記憶させるドア枠情報入力処理手段と、玄関ドアの扉の框構造を特定するための框構造情報の入力欄およびパネルやガラスの選択肢を表示手段に表示し、かつ入力された框構造情報およびパネル、ガラスの情報を記憶手段に記憶させる扉情報入力処理手段と、玄関ドアのドア枠や扉の色の入力欄を表示手段に表示し、かつ入力された色情報を記憶手段に記憶させる色情報入力処理手段と、玄関ドアに用いられる金物に関する情報の入力欄を表示手段に表示し、かつ入力された金物情報を記憶手段に記憶させる金物情報入力処理手段と、記憶手段に記憶された各情報に基づいて玄関ドアの姿図を作図して表示手段に表示する作図手段と、を備えることを特徴とするものである。
なお、本発明において、玄関ドアとは、室内外方向に開閉されるドアに限らず、引戸（スライディングドア）も含むものである。すなわち、建物の出入口（玄関）に設けられる建具を意味するものである。
【０００９】
本発明は、玄関ドアのデザインにおいては、ドア枠の種類（例えば、袖無しタイプ、親子タイプ、両開きタイプ、各欄間付タイプ等）およびドア開口の寸法と、ドア枠内の組み込まれる扉（親子タイプの場合には、親扉および子扉）の框構造タイプ（縦中骨、横中骨の有無や、その見付け寸法、割付位置）、パネルやガラスの種類（パネルデザインや格子付タイプ等）、扉やドア枠の色、使用する金物を個別に指定できれば、その組合せによって多彩な玄関ドアの設計が可能である点と、これらの玄関ドアを構成する各要素のうち、玄関ドアの製造が可能か否かあるいはドアの性能を左右する特定の要素やパラメータを予め用意したものから選択させ、その他の要素は自由な指定が可能にすることで、製造性や性能を確保しつつ、施主などの要望に最大限対応できる点に着目してなされたものである。
すなわち、規格化された玄関ドア自体を選択するのではなく、玄関ドアを構成するドア枠や扉をそれぞれ個別にデザインできるようにし、かつ、ドアの開口寸法つまりドア枠の幅寸法や高さ寸法を入力調整できるようにしているので、施主やデザイナー等が希望するデザインの玄関ドアを設計することができる。
また、ドアにおいて、ドア枠の構造は、ドアの製造や性能確保のために最低限必要な情報であるが、このドア枠を選択式にしているので、予め各ドア枠タイプ毎に事前の性能実験等を行うことができて、個別の性能実験を不要にすることができる。このように特定の構成やパラメータを選択式にすることで、施主やデザイナーの要望をある程度満足させながら、すべての構成を自由に設計する場合に比べて、メーカー側が製造可能かの判断や性能実験を個別に行う必要を無くすことができて、短時間でかつ低コストで玄関ドアを製造することができる。
すなわち、施主やデザイナー等の専門知識が無い人であっても玄関ドアをデザインすることができ、その玄関ドアの製作、施工までの時間を短縮でき、コストも低減することができる。
【００１０】
ここで、前記ドア枠情報入力処理手段は、前記選択肢として、選択可能なドア枠タイプを図示したものを一覧表示した選択表を表示手段に表示し、前記作図手段は、選択表で選択されたドア枠タイプに対応するドア枠の姿図を表示手段に表示し、前記ドア枠情報入力処理手段は、ドア枠の姿図に各寸法の入力欄を表示することが好ましい。
【００１１】
このような構成によれば、選択可能なドア枠が図示により一覧表示されているので、施主やデザイナーでもドアのタイプを容易に把握することができ、自らが希望するドア枠タイプを容易に選択することができる。
さらに、選択したドア枠の姿図に寸法入力欄を表示させているので、寸法入力が必要な場所を入力者が容易に判断でき、施主やデザイナーなどであっても必要な情報を容易にかつ入力漏れなく確実に入力することができる。
【００１２】
前記ドア枠情報入力処理手段は、ドア枠を構成する枠材の幅寸法は予め設定された複数種類の寸法から選択させ、枠材の長さ寸法はその寸法を直接入力させるように構成されていることが好ましい。
ドア枠を構成する枠材は、例えばアルミ等の金属材の押出成形で成形されることが多い。この際、枠材の長さ寸法（押出方向の寸法）は、押出成形された形材の切断位置を変えることで容易に変更できる。一方、枠材の幅寸法（押出方向に直交する方向の寸法）は押出金型によって設定されるため、自由な変更は困難である。従って、この枠材の幅寸法を予め規格化された数種類から選択するようにし、それらの金型を予め用意しておけば、製造可能かの検討が不要となり、コスト面でもメリットがある。
さらに、枠材の長さ寸法は施主やデザイナーが自由に設定できるため、ドアの縦寸法および幅（横）寸法を自由に設定できる。このため、施主やデザイナーの要望に容易に対応することができるとともに、リフォーム等でドア開口の寸法が予め決まっている場合にも確実に対応することができる。
【００１３】
前記扉情報入力処理手段は、上框、下框および左右の縦框の各幅寸法を予め設定された複数の寸法から選択させるとともに、中骨を配置する場合には、中骨の本数および幅寸法を入力させ、かつ、ドア枠情報入力処理手段で入力された情報および入力された各框や中骨の幅寸法に基づいて各框の長さ寸法を算出することが好ましい。
【００１４】
本発明では、ドア枠情報入力処理手段において、ドアに配置される扉の縦横寸法は既に入力されているので、各框の幅寸法や框間に掛け渡される縦中骨、横中骨の本数と、その幅寸法を入力すれば、各框の長さ寸法は自動的に設定できる。このため、入力操作性を向上できると共に、框の長さ寸法は自動計算できるので、入力操作性を向上でき、かつ入力ミスを減少することができる。
【００１５】
ここで、前記作図手段は、扉情報入力処理手段によって入力された框や中骨の情報に基づいて扉の姿図を作成して表示手段に表示し、前記扉情報入力処理手段は、扉姿図に示された各框や中骨で区画され、パネルやガラスが配置される開口部分が指定され、かつ、予め表示されているパネルやガラスの選択肢が選択されると、姿図の指定された開口部分に選択されたパネルやガラスを表示し、かつ、指定された開口情報に基づいて選択されたパネル、ガラスの寸法や額縁の種類の情報を記憶手段に記憶させることが好ましい。
【００１６】
扉の姿図を表示することで、施主やデザイナーなどの玄関ドアの設計者は、扉のイメージを掴みやすく、自らが要望する扉を容易にデザインすることができる。さらに、框の配置位置や寸法等に応じた姿図が表示されることで、寸法の入力ミスなども視覚的に判断することができる。
その上、扉の開口部分に配置されるパネルやガラス、格子等の部品の選択肢を表示手段に表示しており、設計者は開口部分を指定後、パネルやガラスを選択するだけでその開口に配置されるパネルやガラスの寸法や額縁は自動的に計算されるため、入力操作を簡単にできる。
さらに、選択されたパネルやガラスは姿図上にも表示されるため、設計者はその表示を見ながら扉をデザインでき、希望するデザインの扉をより一層容易に設計することができる。
【００１７】
前記記憶手段は、ドア枠において選択可能な形材、部品の情報が記録されたドア枠用マスターテーブルと、扉において選択可能な形材、部品の情報が記録された扉用マスターテーブルと、ドアにおいて利用可能な金物の情報が記録された金物用マスターテーブルとが記憶されていることが好ましい。
選択可能なすべての形材や部品の情報を予めマスターテーブルとして準備しておけば、各形材や部品の加工情報、原材料費や製造コスト等も予め記憶させておくことができ、製造コスト、工期等の情報に基づく見積書や加工指示書（一覧表）を容易に出力することができる。
【００１８】
前記記憶手段は、ドア枠、扉、金物において選択可能な色の情報が記録された色情報用マスターテーブルが記憶され、この色情報用マスターテーブルには、ドア枠および扉の主要色に対応する部品や金物の標準色の組み合わせ情報が記憶されていることが好ましい。
各形材、部品、金物毎に選択可能な色の情報を予めマスターテーブルとして準備しておけば、各形材、部品、金物において塗装費用や工期を予め記憶させておくことができ、塗装コスト、工期などの情報に基づく見積書や作業指示書をより一層容易に出力することができる。
その上、ドア枠や扉の色つまりドアにおいて主要となる色に対応して部品や金物の標準色の組合せが予め設定されているので、設計者はすべての色を指定する必要が無く、主要色のみを選択すれば、各部品や金物は主要色にあった色に初期設定できるので、色情報の入力を簡単に行うことができる。さらに、部品や金物のうち、標準色以外に変更したい場合にはその部品等の色のみを指定すればよく、設計者の要望に十分に対応しながら、かつ入力操作性のよいシステムとすることができる。
【００１９】
ここで、前記処理手段は、前記記憶手段に記憶されたドア枠、扉、金物の情報に基づいて、設計されたドアの製造に必要な形材、部品、金物の情報を一覧表として出力する入力情報出力手段を備えることが好ましい。
入力情報出力手段は、例えば、設計されたドアの製造に使用される形材、部品、金物の品番、名称、寸法、加工情報、コスト情報（製造原価等）、工期情報（製作時間）、納期等の所定の情報を含む一覧表を出力する。ドア製造メーカーは、この一覧表に基づいて各形材、部品の選定、加工を行うことができ、作業指示書として利用できる。このため、ドア製造メーカーが、入力された情報を解析してドアを製造する場合に比べて、ドア完成までの作業を軽減でき、製造コストを低減できるとともに、製造工期も短縮できる。
【００２０】
この際、前記入力情報出力手段は、設計されたドアの製品原価を算出し、この製品原価に基づいて求められた販売価格情報を含む見積書を出力可能に構成されていることをが好ましい。
本システムにおいて製品原価を算出することができれば、運搬費や諸経費等を加えることで設計されたドアの販売価格を容易に算出できる。このため、施主やデザイナー側に対し、設計されたドアの販売価格を含む見積書を即座に出力でき、施主等はその費用情報を含めてドア製造を依頼するかを判断できる。従って、施主等は、デザイン性およびコスト面を考慮したドア設計が可能となり、顧客満足度の高い玄関ドアを設計、製造することができる。
なお、製品原価の算出にあたっては、例えば、記憶手段に記憶される各マスターテーブルに原価計算に必要な情報を含ませておき、この情報を用いて算出すればよい。例えば、各形材に関しては、単位長さあたりの金額や、塗装種類毎の金額、各加工毎の加工費、組立費用等の原価情報（コスト情報）を各マスターテーブルに記憶させておき、部品に関しては、各部品単価、加工費、組立費等の原価情報をマスターテーブルに記憶させておき、設計した玄関ドアにおける製品原価を前記原価情報を元に算出できるようにしておけばよい。
【００２１】
さらに、前記入力情報出力手段は、設計されたドアの製造に必要な時間（製作時間）を算出し、この製作時間に基づいて求められたドアの納期を出力可能に構成されていることが好ましい。
本システムにおいて製作時間（工数）等を算出することができれば、それらの時間情報を元にドアの納期を容易に算出できる。このため、施主やデザイナー側に対し、設計されたドアの納期を含む情報（見積書等）を即座に出力でき、施主等はその納期情報を含めてドア製造を依頼するかを判断できる。従って、施主等は、デザイン性および納期面を考慮したドア設計が可能となり、顧客満足度の高い玄関ドアを設計、製造することができる。
なお、製作時間（工数）の算出にあたっても、例えば、記憶手段に記憶される各マスターテーブルに工数計算に必要な情報を含ませておき、この情報を用いて算出すればよい。例えば、各形材に関しては、加工時間、塗装時間、組立時間、養生時間等の工数情報を各マスターテーブルに記憶させておき、部品に関しては、各部品の加工時間、組立時間等の工数情報をマスターテーブルに記憶させておき、設計した玄関ドアにおける工数（製造時間）や納期を前記工数情報を元に算出できるようにしておけばよい。
【００２２】
ここで、玄関ドア設計システムは、電気通信回線を介して通信可能に接続されたクライアント装置と、玄関ドア設計用サーバ装置とを備え、前記クライアント装置は、情報入力用の入力手段と、情報表示用の表示手段と、受信した情報を前記表示手段に出力する受信情報出力手段と、前記入力手段で入力された情報を前記サーバ装置に送信可能な入力情報送信手段と、を備え、前記玄関ドア設計用サーバ装置は、前記処理手段と、記憶手段とを備えるとともに、クライアント装置から送信された情報を前記処理手段に入力する受信情報入力手段と、クライアント装置に対して情報を出力してクライアント装置の表示手段に情報を表示させる表示情報送信手段とを備えるものでもよい。
【００２３】
本発明のシステムは、例えば１台のノートパソコンに全てのシステムやマスターテーブル等を記憶させておき、スタンドアロンのコンピュータで実現することもできるが、インターネット等の電気通信回線を介して接続されたクライアント装置および玄関ドア設計用サーバ装置によって実現されるクライアントサーバ型のシステムとしてもよい。
クライアントサーバ型のシステムとすれば、例えば、サーバ側に各種処理手段やマスターテーブルを組み込んでおくことで、クライアント装置は前記サーバ装置に接続可能な機能を有する最小限の装置が利用できる。このため、例えば、住宅を建てようとする施主が自宅のコンピュータからインターネット回線などを介してサーバにアクセスして玄関ドアを設計することもできるし、設計事務所のデザイナーが職場のコンピュータからアクセスしてドアを設計することもでき、一般ユーザーであっても本システムを容易に利用することができる。従って、多数のユーザーが本システムを利用可能なことで、潜在的な顧客を掘り起こして営業していることにもなり、営業ツールとしても有効に利用できる。
【００２４】
なお、クライアント装置としては、画面表示の解像度の関係で、通常は、デスクトップ型あるいはノート型のパソコンが利用されるが、例えば、インターネット接続機能を有するゲーム機、ＰＤＡなどの携帯情報端末、携帯電話機なども利用可能である。
また、クライアント装置の受信情報出力手段、入力情報出力手段は、専用のソフトウェアで実現してもよいが、情報の入力および表示が可能なブラウザソフトによっても実現できる。
また、玄関ドア設計用サーバ装置の各手段は、例えば、前記クライアント装置からの情報を受け取ったり、クライアント装置に情報を出力するＷＷＷ（ｗｏｒｌｄ  ｗｉｄｅ  ｗｅｂ、Ｗｅｂ）サーバソフトと、マスターテーブル等の各種情報が記録されたデータベースと、これらのＷＷＷ（ｗｏｒｌｄ  ｗｉｄｅ  ｗｅｂ、Ｗｅｂ）サーバおよびデータベース間で情報の送受信を行うＣＧＩ（ｃｏｍｍｏｎ  ｇａｔｅｗａｙ  ｉｎｔｅｒｆａｃｅ）等のインターフェースプログラム等とで構成できる。
【００２５】
本発明の玄関ドア設計用サーバ装置は、電気通信回線を介してクライアント装置に通信可能に接続された玄関ドア設計用サーバ装置であって、処理手段と、記憶手段と、クライアント装置から送信された情報を前記処理手段に入力する受信情報入力手段と、クライアント装置に対して情報を出力してクライアント装置の表示手段に情報を表示させる表示情報送信手段とを備えるとともに、前記処理手段は、少なくとも玄関ドアのドア枠タイプの選択肢およびドア開口寸法の入力欄をクライアント装置の表示手段に表示させ、かつクライアント装置で選択されたドア枠タイプおよび入力された寸法の各情報を記憶手段に記憶させるドア枠情報入力処理手段と、玄関ドアの扉の框構造を特定するための框構造情報の入力欄およびパネルやガラスの選択肢をクライアント装置の表示手段に表示させ、かつクライアント装置で入力された框構造情報およびパネル、ガラスの情報を記憶手段に記憶させる扉情報入力処理手段と、玄関ドアのドア枠や扉の色の入力欄をクライアント装置の表示手段に表示させ、かつクライアント装置で入力された色情報を記憶手段に記憶させる色情報入力処理手段と、玄関ドアに用いられる金物に関する情報の入力欄をクライアント装置の表示手段に表示させ、かつクライアント装置で入力された金物情報を記憶手段に記憶させる金物情報入力処理手段と、記憶手段に記憶された各情報に基づいて玄関ドアの姿図を作図してクライアント装置の表示手段に表示させる作図手段と、を備えることを特徴とするものである。
【００２６】
このような玄関ドア設計用サーバ装置においても、施主やデザイナーの要望を最大限取り入れたデザインの玄関ドアを、比較的短期間でかつ低コストで製造することができる。
【００２７】
本発明の玄関ドア設計方法は、少なくとも玄関ドアのドア枠タイプの選択肢およびドア開口寸法の入力欄を表示手段に表示し、かつ選択されたドア枠タイプおよび入力された寸法の各情報を記憶手段に記憶させるドア情報入力処理工程と、玄関ドアの扉の框構造を特定するための框構造情報の入力欄およびパネルやガラスの選択肢を表示手段に表示し、かつ入力された框構造情報およびパネル、ガラスの情報を記憶手段に記憶させる扉情報入力工程と、玄関ドアのドア枠や扉の色の入力欄を表示手段に表示し、かつ入力された色情報を記憶手段に記憶させる色情報入力工程と、玄関ドアに用いられる金物に関する情報の入力欄を表示手段に表示し、かつ入力された金物情報を記憶手段に記憶させる金物情報入力工程と、記憶手段に記憶された各情報に基づいて玄関ドアの姿図を作図して表示手段に表示する作図工程と、を備えることを特徴とするものである。
このような本発明においても、前記玄関ドア設計システムと同じ作用効果を奏することができる。
【００２８】
本発明の玄関ドア設計プログラムは、コンピュータを、請求項１から８のいずれかに記載の玄関ドア設計システムとして機能させることを特徴とするものである。
例えば、本発明の玄関ドア設計プログラムは、情報入力用の入力手段と、情報表示用の表示手段と、入力された情報の処理を行う処理手段と、各種情報を記憶する記憶手段とを備えたコンピュータに組み込まれる玄関ドア設計プログラムであって、前記コンピュータを、少なくとも玄関ドアのドア枠タイプの選択肢およびドア開口寸法の入力欄を表示手段に表示し、かつ選択されたドア枠タイプおよび入力された寸法の各情報を記憶手段に記憶させるドア枠情報入力処理手段と、玄関ドアの扉の框構造を特定するための框構造情報の入力欄およびパネルやガラスの選択肢を表示手段に表示し、かつ入力された框構造情報およびパネル、ガラスの情報を記憶手段に記憶させる扉情報入力処理手段と、玄関ドアのドア枠や扉の色の入力欄を表示手段に表示し、かつ入力された色情報を記憶手段に記憶させる色情報入力処理手段と、玄関ドアに用いられる金物に関する情報の入力欄を表示手段に表示し、かつ入力された金物情報を記憶手段に記憶させる金物情報入力処理手段と、記憶手段に記憶された各情報に基づいて玄関ドアの姿図を作図して表示手段に表示する作図手段として機能させることを特徴とするものである。
【００２９】
このような本発明によれば、前記玄関ドア設計システムと同様の作用効果を奏することができる。
さらに、プログラムは、ＣＤ−ＲＯＭ等の記録媒体や、インターネット等の通信手段を介してコンピュータにインストールして組み込むことができるので、例えば、各施主やデザイナーが自分のコンピュータに前記プログラムを組み込むことで、玄関ドア設計システムを容易に構築でき、本システムを簡単に利用することができる。
【００３０】
【発明の実施の形態】
以下、本発明における玄関ドア設計システムの実施形態を図面に基づいて説明する。
本発明の玄関ドア設計システムは、スタンドアロンのコンピュータで実現することもでき、また、インターネットなどの電気通信回線を介して接続されたクライアント端末およびサーバ装置で実現することもできる。
第１実施形態は、スタンドアロンのコンピュータを用いた場合であり、第２実施形態は、クライアントサーバ型のコンピュータを用いた場合である。
【００３１】
［第１実施形態］
図１に示すように、第１実施形態の玄関ドア設計システム１は、コンピュータ１０を備えている。
コンピュータ１０は、ＣＲＴディスプレイや液晶ディスプレイ等の表示装置（表示手段）１１、キーボードやテンキー、マウス等の入力装置（入力手段）１２、ＣＰＵ等の処理装置（処理手段、制御装置）１３、ハードディスク、メモリ等の記憶装置（記憶手段）１４を備えている。
さらに、コンピュータ１０は、モデムやターミナルアダプタ、ルータ等の通信機器１５およびＩＳＤＮ、ＡＤＳＬ、ＣＡＴＶ、光ファイバ等の各種電気通信回線を利用し、ＩＳＰ（インターネットサービスプロバイダ）を介してインターネット２に接続可能に構成されている。
このコンピュータ１０は、施主やデザイナー（設計者）等の玄関ドアを設計する設計者（作業者）が所有するコンピュータを利用してもよいし、玄関ドア製造メーカーの営業担当が顧客先に持参するノート型のコンピュータでもよい。
【００３２】
コンピュータ１０は、設計したドアの情報をインターネット２を介してドア製造メーカーに送信して発注することができるようにされている。
すなわち、ドア製造メーカー内には、コンピュータ２０が設置されている。このコンピュータ２０は、コンピュータ１０と同様に、表示装置２１、入力装置２２、処理装置２３、記憶装置２４、通信装置２５を備えている。このコンピュータ２０は、第２実施形態のように、玄関ドア設計用サーバ装置として機能するものではなく、玄関ドア設計用システムであるコンピュータ１０によって設計された玄関ドアの設計用情報を、コンピュータ１０から受け取ってドア製造を行うために設置されているものである。
【００３３】
コンピュータ１０の記憶装置１４には、玄関ドアの設計に必要な各種のマスターテーブルと、入力された情報を記憶する情報記憶テーブルとが記憶される。
記憶装置１４に記憶されるマスターテーブルとしては、図２に示すように、ドア枠用マスターテーブル３０、扉用マスターテーブル４０、金物用マスターテーブル５０、開口用マスターテーブル６０、色情報用マスターテーブル７０、共用マスターテーブル８０の各テーブル（情報、データベース）が記憶されている。
【００３４】
ドア枠用マスターテーブル３０は、ドア枠を構成する際に利用される枠形材および部品の情報が格納された枠形材＆部品マスターテーブル３１を備えている。枠形材＆部品マスターテーブル３１には、ドアを設計する際に使用される可能性のあるすべての枠形材や部品の情報が記憶されている。例えば、ドア枠を構成する上下枠や縦枠、さらには方立や無目等の各枠材毎に、使用される部位、品番、色、切断寸法、数量、単位重量、加工工数、見え掛かり面積、価格（塗装色別でかつ単位面積あるいは長さあたり）の情報が記憶されている。また、部品の情報として、部品が使用される部位、品番、色、数量、重量、部品単価、部品加工工数等の情報が記憶されている。
【００３５】
扉用マスターテーブル４０は、扉を構成する際に利用される可能性のある框形材および部品の情報が格納された框形材＆部品マスターテーブル４１を備えている。
框形材＆部品マスターテーブル４１には、枠形材＆部品マスターテーブル３１と同様の情報が記憶されている。例えば、框形材の情報として、扉を構成する上下框や縦框、さらには中骨や中桟等の各框材毎に、使用される部位、品番、色、切断寸法、数量、単位重量、加工工数、見え掛かり面積、価格（塗装色別でかつ単位面積あるいは長さあたり）の情報が記憶されている。また、部品の情報として、部品が使用される部位、品番、色、数量、重量、部品単価、部品加工工数等の情報が記憶されている。
金物用マスターテーブル５０には、金物部品の呼称、色、品番、数量、単価、加工工数（加工の種類や加工場所の数等）等の各種情報が記憶されている。
【００３６】
開口用マスターテーブル６０は、パネルガラス（ＰＧ）マスターテーブル６１、額縁マスターテーブル６２、格子形材マスターテーブル６３を備えている。
パネルガラスマスターテーブル６１には、ガラスやパネルの単位面積あたりの価格（色別）、加工工数（取付時間）等の各種情報が記憶されている。
額縁マスターテーブル６２には、ドア枠や扉内に組み込まれるパネルやガラスを保持する額縁を構成する額縁形材に関する各種情報が格納されている。すなわち、額縁を構成する押縁材毎に、重量、加工工数、見え掛かり面積、価格（単位面積あるいは長さあたり）、額縁部品価格、額縁部品加工工数等の情報が記憶されている。
格子形材マスターテーブル６３には、格子を構成する縦組子や横組子の形材の価格、単位重量、加工工数、見掛け寸法等の各種情報が記憶されている。
【００３７】
色情報用マスターテーブル７０には、ドア枠や扉等の主要部品の色（主要色）に対する、各部品（ガスケット、ＡＴ材、ドアクローザー、フランス落とし、ドアガード、丁番、丁番ライナー、小口キャップ、見え掛ビス、錠受け等）の標準色（主要色が選択された場合、初期設定される色の組み合わせ）が記憶されている。
【００３８】
共用マスターテーブル８０には、部品価格マスターテーブル８１、加工時間マスターテーブル８２が記憶されている。
部品価格マスターテーブル８１には、ドアクローザー、旗丁番、フランス落とし、プッシュプル錠、ドアガード、電気錠等の各種部品の価格、塗装価格等の各種情報が記憶されている。
加工時間マスターテーブル８２には、各形材や部品の切断、穴明け、ビス止め等の各加工工程毎の時間が記憶されている。
【００３９】
一方、記憶装置１４に記憶される情報記憶テーブルとしては、図３に示すように、ドア枠情報記憶テーブル２１０、扉情報記憶テーブル２２０、色情報記憶テーブル２３０、金物情報記憶テーブル２４０の各テーブルが用意されている。
【００４０】
処理装置１３は、前記各マスターテーブル３０〜８０の情報を利用して玄関ドアを設計し、各記憶テーブル２１０〜２４０に記憶する各種処理手段を備えている。
すなわち、処理装置１３には、図４に示すように、ドア枠情報入力処理手段１１０、扉情報入力処理手段１２０、色情報入力処理手段１３０、金物情報入力処理手段１４０、作図手段１５０、入力情報出力手段１６０、処理メニュー表示手段１７０が設けられている。
なお、本実施形態において、各処理手段は、コンピュータ１０に組み込まれ、処理装置１３で実行されるプログラムで実現されている。
【００４１】
処理メニュー表示手段１７０は、玄関ドア設計システム１が作動された際に最初に作動されるプログラムであり、処理メニューを表示手段１１に表示させるものである。
ドア枠情報入力処理手段１１０は、ドア枠の選択および枠寸法の入力を作業者に行わせ、その入力情報を元に必要となる部材リストの作成を行い、それらの情報をドア枠情報記憶テーブル２１０に記憶する機能を有する。そのため、図５に示すように、ドア枠情報入力処理手段１１０は、作業者にドア枠を選択させるドア枠選択手段１１１と、枠寸法を入力させる枠寸法入力手段１１２と、リストを作成、記憶する枠展開手段１１３とを備えている。
【００４２】
扉情報入力処理手段１２０は、図４，６に示すように、親扉入力処理手段１２０Ａと子扉入力処理手段１２０Ｂとを有する。ドア枠情報入力処理手段１１０において、２つの扉があるタイプを選択した場合には、各扉入力処理手段１２０Ａ，１２０Ｂでそれぞれの情報を入力する。一方、１つの扉のみが用いられる場合には、親扉入力処理手段１２０Ａを用いて情報を入力する。
ここで、親扉入力処理手段１２０Ａ、子扉入力処理手段１２０Ｂは、基本的に同じ構成になっている。すなわち、各扉入力処理手段１２０Ａ，１２０Ｂは、扉基本デザイン入力手段１２１と、ガラス・パネル入力手段１２２と、額縁・格子入力手段１２３とをそれぞれ備えている。
【００４３】
扉基本デザイン入力手段１２１は、扉の框構造をデザインするものであり、中骨や中桟の有無やその本数、框、中骨、中桟の寸法等を入力させて計算することで扉の骨組み構造をデザインし、その情報を扉情報記憶テーブル２２０に記憶するものである。
ガラス・パネル入力手段１２２は、扉の開口部分に配置されるパネルやガラスの種類を指定させ、その寸法等を入力、計算し、その情報を扉情報記憶テーブル２２０に記憶するものである。
額縁・格子入力手段１２３は、前記開口部分に額縁や格子を配置する場合に、それらの寸法、構造などの情報を入力させ、その情報を扉情報記憶テーブル２２０に記憶するものである。
【００４４】
色情報入力処理手段１３０は、ドア枠や扉の色情報を作業者に入力させ、その情報を色情報記憶テーブル２３０に記憶するものである。
金物情報入力処理手段１４０は、ドアに使用される金物の情報を作業者に入力させ、その情報を金物情報記憶テーブル２４０に記憶するものである。
作図手段１５０は、ドア枠情報入力処理手段１１０で入力された情報を元にドア枠の姿図を作成する機能と、扉情報入力処理手段１２０で入力された情報を元に扉の姿図を作成する機能とを有する。
入力情報出力手段１６０は、記憶装置１４の各テーブル２１０〜２４０に記憶された情報を元にして、リスト、見積書の印刷や、ドア製造メーカーのコンピュータ２０にドア製造に必要な情報を出力する機能を有する。
【００４５】
次に、このような本実施形態の玄関ドア設計システム１における処理手順に関して、図７のフローチャートを参照して説明する。
まず、施主、デザイナー、営業担当者等が、コンピュータ１０において玄関ドア設計システム１を実行すると、処理メニュー表示手段１７０によって、図８に示す処理メニュー３１０が表示手段１１に表示される（ステップ１、以下ステップを「Ｓ」と略す）。
処理メニュー３１０において、枠入力メニュー３１１を選択すると（Ｓ２）、ドア枠情報入力処理手段１１０が起動され、その処理が実行される（Ｓ３）。
同様に、扉入力メニュー３１２，３１３を選択すると（Ｓ４）、扉情報入力処理手段１２０が実行される（Ｓ５）。
処理メニュー３１０において、色情報入力メニューを選択すると（Ｓ６）、色情報入力処理手段１３０が実行される（Ｓ７）。なお、本実施形態では、処理メニュー３１０に直接色情報の入力欄３１４〜３１９が設定されているため、これらの入力欄３１４〜３１９において色情報を入力することが直接色情報入力メニューを選択することになる。
【００４６】
処理メニュー３１０において、金物情報入力メニューを選択すると（Ｓ８）、金物情報入力処理手段１４０が実行される（Ｓ９）。本実施形態では、処理メニュー３１０に直接金物情報の入力欄３２０，３２１が設定されているため、これらの入力欄３２０，３２１において金物情報を入力することが直接金物情報入力メニューを選択することになる。
処理メニュー３１０において、入力情報出力指示を選択すると（Ｓ１０）、入力情報出力手段１６０が実行される（Ｓ１１）。本実施形態では、展開リスト（一覧リスト）の印刷メニュー３２２と見積書の印刷メニュー３２３とが設定されている。
そして、作業者が玄関ドア設計システム１を終了させた場合（Ｓ１２）、処理は終了するが、終了させない場合には、上記各処理を繰り返し実行できる。このため、各入力処理手段を行き来しながらドアの設計を行うことができ、ドアのイメージが固まっていない施主やデザイナーであっても試行錯誤しながらドア設計を行うことができるようにされている。
【００４７】
次に、各処理手段での入力処理に関し説明する。
（１．ドア枠の設計）
まず、ドア枠の設計手順に関し、図９のフローチャート及び図１０，１１に基づいて説明する。
［１−１．ドア枠形式の入力］
ドア枠情報入力処理手段１１０が実行されると、まず、ドア枠選択手段１１１が利用者のコンピュータ１０の画面（表示手段１１）に、図１０の左部分に示す玄関ドア枠選択表４１０を表示する（Ｓ２１）。
本実施形態では、「１．片開き、３．親子、６．両開き、２．片袖片開き、４．片袖親子、５．両袖片開き、７．両袖両開き、１１．欄間付片開き、１３．欄間付親子、１６．欄間付両開き、１２．欄間付片袖片開き、１４．欄間付片袖親子、１５．欄間付両袖片開き、１７．欄間付両袖両開き」の各ドア枠タイプを選択することができる。
【００４８】
利用者が、一覧表示された中から所望の玄関ドア枠をマウスでクリックすることや、番号を入力することで、あるドア枠が選択されたことをドア枠選択手段１１１が認識すると（Ｓ２２）、ドア枠選択手段１１１は、作図手段１５０を利用してそのドア枠の概略姿図４２０を画面に表示する（Ｓ２３）。図１０では、「１７．欄間付両袖両開きドア」を選択した場合の例が示されている。
また、片開きドアの場合、扉の吊元を選択すると（Ｓ２４）、その吊元に応じて丁番やドアのグリップ部分が前記姿図４２０に表示される。
【００４９】
［１−２．ドアサイズの入力］
ドア枠姿図４２０が表示されると、枠寸法入力手段１１２は、ドア姿図４２０に寸法の入力欄を設定する（Ｓ２５）。この際、袖やドア枠の上枠、縦枠、下枠、巾木の各幅寸法、つまり押出形材において各金型で設定される幅寸法の入力欄（入力セル）４２１は、選択リスト式とされている。
例えば、上枠の幅寸法（高さ寸法）は、３０ｍｍまたは８０ｍｍを選択可能とされている。ドア枠の無目の幅寸法は、５４ｍｍまたは１２４ｍｍを選択可能とされている。同様に、袖の巾木、外縦枠（袖部分の縦枠）、ドア枠（ドア部分の縦枠）の各幅寸法も予め設定された寸法から選択するように構成されている。
一方、各枠材の長さ寸法の入力欄（入力セル）４２２は、数字を直接入力するように設定されている。
【００５０】
これらの各入力欄４２１，４２２に寸法が選択あるいは直接入力によって入力されると（Ｓ２６）、枠寸法入力手段１１２は直接入力された部分の寸法チェックおよびドア枠（ドア開口）の高さ寸法、幅寸法等の寸法を自動計算する（Ｓ２７）。
寸法チェック機能は、例えば、ドア枠の高さ寸法が予め設定された最大値を超える場合に、画面にその旨の警告を表示し、適切な寸法が入力されるようにチェックするものである。
自動計算機能は、ドア枠の高さ寸法、幅寸法が表示されている欄４２３の寸法を、入力、選択された他の寸法から自動的に計算して表示するものである。
【００５１】
なお、本実施形態では、ドア開口の高さ寸法や幅寸法を自動計算させていたが、先にドア開口の高さ寸法や幅寸法を入力し、その寸法に応じて入力欄４２２の一部を自動計算させるようにしてもよい。
また、本実施形態では、ドア枠形式を先に選択していたが、ドア開口の高さ寸法や幅寸法を入力した後に、ドア枠形式を選択してもよい。
【００５２】
さらに、図示しないが、袖付のドア枠を選択した場合においては、袖オプションとして袖中桟を選択して追加する入力欄も表示される。
また、図１１に示すように、予め用意されたドア枠の図面に、図１０で入力された各寸法を表示してもよい。この場合、枠の図は各ドア枠のなかで最も枠の数が多いものに対応した図のみを用意し、ドア枠の選択によって不要となった枠部分は寸法を「０」としている。これにより、ドア枠毎に図面を用意する必要が無く、玄関ドア設計システム１のデータ容量を軽減することができる。
【００５３】
以上によりドア枠の設計が終了するが、設計の途中であっても、図１０に示す３つのボタン４３１，４３２，４３３を押すと、それぞれ基本情報（処理メニュー３１０）、親扉入力、子扉入力の各処理ルーチンに戻ることができる。このため、作業者は、ドア枠や扉の設計を行き来して、試行錯誤を繰り返しながら、自らの希望するデザインのドアを設計することができる。
【００５４】
（２．扉の設計）
次に、扉の設計手順に関し、図１２のフローチャート及び図１３に基づいて説明する。なお、扉の設計は、親扉、子扉ともに同じ手順であるため、親扉の場合を例にして説明する。なお、扉が１つの場合には、親扉入力処理手段１２０Ａのみが利用されることになる。
【００５５】
［２−１．扉基本デザイン入力：扉サイズおよび各種部材、部品の選定］
扉情報入力処理手段１２０（親扉入力処理手段１２０Ａ）が作動されると、まず、扉基本デザイン入力手段１２１によって、図１３に示すように、表示手段１１に、扉の寸法等を入力させる入力表５１０を表示する（Ｓ３１）。
入力表５１０には、各框の寸法（サイズ）と、必要に応じて中骨（縦中骨、横中骨）、中桟の本数、位置、寸法とを入力させる欄が設けられている。
【００５６】
作業者がこの入力表５１０に各情報を入力すると（Ｓ３２）、その入力によって自動算出される寸法部分が計算され、表示手段１１に表示される（Ｓ３３）。例えば、入力表５１０において、扉の幅寸法ＤＷおよび高さ寸法ＤＨは、ドア枠における扉開口部分の寸法情報から自動的に算出されて表示されている。従って、各縦框の幅寸法（横幅寸法）および上下框の幅寸法（高さ寸法）を、各入力欄５１１に表示されるリストから選択すると、各框で囲まれる開口部分の幅寸法ＤＮＷおよび高さ寸法ＤＮＨが自動的に算出される。
また、この開口部分に横中骨が配置される場合は、横中骨の幅寸法（高さ寸法）の入力欄５１２に、選択リストから寸法を選択して入力すればよい。本実施形態では、最大２本の中骨を設定できるように、２つの中骨入力欄５１２が設けられている。そして、中骨を入力した場合には、上框および中骨間、各中骨間、中骨および下框間の各開口部分の高さ寸法ＤＮＨ１〜３に所望の寸法を入力すればよい。
【００５７】
同様に、縦中骨が配置される場合は、図１３，１４に示すように、中骨の見付寸法および本数を各入力欄５２１，５２２に入力する。すると、その入力欄の下側に設けられている欄に、部材名および幅寸法（Ｗサイズ）が自動的に表示される。すなわち、入力欄の最左端には左縦框の寸法が表示され、最右端には右縦框の寸法が表示されており、これらの各框間に各中骨の幅寸法と、ガラスやパネルが配置される開口（ＧＰＷ１，ＧＰＷ２，ＧＰＷ５）の幅寸法が交互に表示される。これにより、実際の縦框および中骨、開口の配置順に各サイズ入力欄が配置され、作業者が実際の框構造をイメージしながら入力できるように構成されている。なお、開口寸法は、扉の開口幅寸法ＤＮＷを開口箇所の数で割って、各開口の幅寸法が均等になるように初期設定されている。そして、特定の開口寸法を個別に指定したい場合には、Ｗサイズ欄の下にあるＷサイズ指定欄５２５に直接数字を入力すればよい。指定欄５２５に入力がない開口は、残りの開口寸法を等分したものに自動計算される。
【００５８】
同様に、中桟を設ける場合には、中桟を設ける開口の列における中桟数量および中桟見付寸法の入力欄５３１，５３２に、各数量および寸法を入力する。すると、図１４に示すように、中桟の見付け寸法（高さ寸法）と各開口の高さ寸法（ＧＰＨ０〜ＧＰＨ１０）  が交互に表示され、作業者がイメージしやすいようになっている。開口寸法は、初期表示は均等割りの寸法である。また、中桟および開口の個別寸法は、各寸法表示欄の右側の入力欄５４１に直接入力できる。
【００５９】
なお、本実施形態では、横中骨を最大２本配置できるため、扉の領域を、上部、中央、下部の３カ所に分けて入力できるように予め設定されている。中央および下部の入力表は、図１４に示す上部の入力表５２０と同様である。下部の入力表５５０を例示すると、図１５に示すように、下部領域においても、中骨の本数、寸法と、中桟の本数、寸法とを個別に設定できるようにされている。中央の入力表は例示しないが、同様のものである。
すなわち、図１３の右端側に表示されているように、上框から第１の中骨の上（開口）までの領域ＤＮＨ（Ａ）が上部領域となり、中骨から中骨までの領域ＤＮＨ（Ｂ）が中央領域となり、第２の中骨の下（開口）から下框までの領域ＤＮＨ（Ｃ）が下部領域となり、各領域毎に中骨や中桟をデザインできるようにされている。
【００６０】
なお、横中骨が設けられない場合には、扉内の開口は各框で囲まれた１つであるため、その部分に配置される中骨や中桟は上部領域の入力欄を利用して入力される。横中骨が１本設けられた場合には、上部領域および中央領域の入力欄を利用して入力される。
また、本実施形態の各入力表では、中骨は最大４本分の入力欄が予め用意されており、中桟は最大１０本分の入力欄が予め用意されている。
【００６１】
ここで、扉の各入力表において、扉を構成する縦框（左右）および上下框の各幅寸法は予め設定されたリストから選択して入力されるが、その具体的な選択肢は例えば次のとおりである。例えば、縦框の幅寸法は、親扉の標準の幅寸法である１２９ｍｍと、子扉の標準の幅寸法である６４ｍｍと、オプションの幅寸法である９０ｍｍとから選択できるようにされている。同様に、上下框は、上框の標準の幅寸法１５０ｍｍと、下框の標準の幅寸法１８０ｍｍとから選択できるようにされている。さらに、中骨（縦中骨）の幅寸法は、２０，５０，６０，７０，１０５，３００，３６０ｍｍから選択できるようにされている。
また、縦框や中骨間の各幅寸法ＧＰＷ１〜ＧＰＷ５は開口の幅さ寸法つまり開口に配置されるパネルやガラスの幅さ寸法となり、上下框や横中骨、中桟間の各高さ寸法ＧＰＨ０〜ＧＰＨ３１は、開口の高さ寸法つまり開口に配置されるパネルやガラスの高さ寸法となる。
【００６２】
［２−２．扉デザイン入力］
扉を構成する各框、中骨、中桟の寸法、間隔寸法（配置位置）のデータを入力したら、図１３のデザインチェックボタン５０１を押してデザイン画面に移行し、図１６に示すように、この画面で姿図作成ボタン５６０を押すと、デザイン画面に扉の姿図５７０が作成表示される（Ｓ３４）。
姿図５７０では、各框、中骨、中桟、開口部分がそれぞれ四角枠で表示され、その領域を選択できるように構成されている。この際、各寸法が適切でない場合、例えば、開口の高さ寸法が大きすぎたり、小さすぎる場合には、入力欄の部分において予め赤色のセルが表示されて警告されるが、姿図５７０においても、各枠部分の位置から入力が適切かを確認することができる。
【００６３】
また、姿図５７０の横には、開口部分に配置可能なガラスやパネルのタイプ５８０が図示されている。各タイプ５８０は、例えば、単板ガラスや複層ガラスの別、さらには額縁部分のデザイン等を予め組み合わせたものが用意されている。この予め用意するガラス・パネルタイプ５８０は、適宜の数だけ設定すればよい。
そして、作業者は、姿図５７０において、ガラス・パネルを設置する開口部分の領域をマウスでクリックして選択した後、左側に表示されたガラス・パネルタイプ５８０のいずれかをマウスでクリックして指定する（Ｓ３５）。すると、図１７に示すように、選択された領域に指定されたガラス・パネルが表示され（Ｓ３６）、作業者が扉のデザインを容易にイメージできるようにされている。
【００６４】
なお、開口部分に格子を配置する場合には、額縁・格子入力手段１２３を用いて図示しない格子情報入力表を利用し、各組子の見付寸法、長さ寸法、本数、色等を入力することで設計できるようにされている。
【００６５】
以上により扉の設計が終了するが、ドア枠の設計と同様に、設計の途中であっても、基本情報（処理メニュー３１０）、ドア枠の入力に戻ることができるようにされている。また、図１６に示す姿図５７０を作成する画面と、図１３〜１５に示す中骨等の有無や寸法の入力表の画面との間も自由に行き来することができる。このため、作業者は、扉の中骨や中桟の有無、本数、位置等を姿図５７０を適宜参照しながら入力することができ、試行錯誤を繰り返しながら、自らの希望するデザインの扉を容易に設計することができる。
また、子扉が設けられる場合には、子扉入力処理手段１２０Ｂを用いて設計すればよいが、その方法は親扉とほぼ同じであるため、説明を省略する。
【００６６】
（３．彩色）
次に、彩色の設計手順に関し、説明する。ドアの彩色の指定は、図８に示す処理メニュー３１０の入力欄３１４〜３１９にて行われる。この際、各入力欄３１４〜３１９では、選択可能な色がリスト表示され、その色を選択して入力するように構成されている。なお、各入力欄を個別に入力しても良いが、図１８に示すように、枠およびドア（扉）の主要色と、各部品の標準色との対応表６００が色情報用マスターテーブル７０に用意されており、枠、ドアの主要色を指定すると各部品の標準色が自動的に設定され、各部品、金物の標準的な色の組合せを容易に入力できるようにされている。
【００６７】
（４．金物）
ドアには、標準に付属する金物として、プッシュプルグリップ錠、丁番、ドアクローザ、フランス落としがある。さらに、オプションで指定可能な金物として、ポスト受箱セット、ドアガード、ドアアイ、ドアアイ飾り座、戸当たりなどが用意されており、設計者は玄関ドアに各金物を適宜選択して組み込むことができる。
本実施形態では、図８に示す処理メニュー３１０の入力欄３２０、３２１でプッシュプルグリップ錠の種類および色をリストから選択できるようにされている。他の部品に関しては、図示していないが、適宜な入力欄が設定されて入力できるように構成されている。この際、各部品の図や写真を一覧表示して、作業者が各金物を容易に選択できるようにしてもよい。
【００６８】
（５．記憶テーブルへの記憶処理）
各入力処理手段で入力された玄関ドアの情報は、入力する毎に、自動的に各記憶テーブル２１０〜２４０に記憶される。
ドア枠情報記憶テーブル２１０には、図１９，２０に示すように、設計したドア枠に使用される枠形材および枠部品の一覧表２１１，２１２が記憶される。
枠形材一覧表２１１には、ドア枠に用いられる形材の部材名称、使用部位、品番、色、加工図番、切断寸法、数量、加工内容および数、加工工数（時間）、各形材の価格、重量、塗装面積等の各形材の製造や見積もりに必要な情報が、各情報を入力するたびに記憶される。
同様に、枠部品一覧表２１２には、ドア枠に用いられる部品の部材名称、部位、品番、色、切断寸法（ＡＴ材等）、必要数量、加工内容および数、加工工数（時間）、各部品の単価、価格等の各部品の準備や見積もりに必要な情報が記憶される。
【００６９】
また、扉情報記憶テーブル２２０には、今回設計した扉に使用される扉の框材、扉部品、ＧＰ額縁（ガラスパネル額縁）、格子の各一覧表が記憶される。
框材の一覧表２２１は、図２１に示すように、枠形材の一覧表と同様に、扉に用いられる框材の称呼、型番、色、切断寸法、単価、単位重量、数量、金額合計、加工内容および数、加工工数（時間）、塗装面積等の各框材の製造や見積もりに必要な情報が記憶される。扉の部材の一覧表は、図示しないが、枠部品一覧表２１２と同様の内容が記憶される。
図２２，２３に示すように、ＧＰ額縁の一覧表２２２，２２３は、扉姿図５７０を作成する際に利用される元データ部分を示す表２２２と、この姿図５７０でガラスやパネルを選択すると記憶されるガラスパネルデータ部分を示す表２２３とを備えている。表２２２には、各部材、開口の実寸法とその寸法に対応し、作図する際の図面寸法、位置等が計算されており、これらの図面寸法、位置に応じて各框、中骨、開口等を示す矩形枠が描画されて姿図５７０を作図している。
また、表２２３には、開口部分にガラスパネルが指定されると、Ｇ／Ｐ区分にその種類を示す番号が記憶され、自動計算された額縁部品、寸法などが各項目に記憶される。さらに、図示しないが、選択されたガラスや額縁の各部品の寸法などの情報も扉情報記憶テーブル２２０に記憶される。
【００７０】
（６．入力情報の出力処理）
ドア枠、扉、金物、彩色等の各情報の入力が終了すると、各記憶テーブル２１０〜２４０に記憶された情報に基づいて入力情報の出力処理が行われる。
すなわち、処理メニュー３１０において、展開リストの印刷ボタン３２２を押すと、上記各テーブル２１０〜２４０に記憶された情報に基づいて、図２４，２５に示すように、使用する形材、部品、金物などの展開リスト７００，７１０が印刷される。
また、処理メニュー３１０において、見積書ボタン３２３を押すと、図２６に示すような見積書７２０が印刷される。見積書７２０には、図２６に示すように、ドア枠および扉の姿図、寸法、金物の色、見積もり金額等の各種情報が印刷される。
従って、施主やデザイナーは、これらの印刷物における、設計したドアのデザイン、金額、納期などの情報を元に最終的にドアを発注するか決めればよい。
【００７１】
（７．ドアの製造）
施主やデザイナーが、ドアのデザインや見積金額、納期等を了承し、ドア製造メーカーにそのドアの製作を発注する指示を行うと、入力情報出力手段１６０は各記憶テーブル２１０〜２４０のデータを、ドア製造メーカーのコンピュータ２０に送信する。
ドア製造メーカーは、受信したデータに基づいてドアを製造し、所定の期日に客先に納品する。すなわち、各記憶テーブル２１０〜２４０に記憶されたデータには、各形材、部品の品番などの他、色、加工工程、数量等、加工製造に必要な情報も含まれているため、製造メーカーで各形材や部品の製造、加工をする際の指示書データとして流用できるようにされている。
例えば、形材や部品に関しては、部材名称、部位名、品番、色、切断寸法、加工工程数（切断箇所数や穴明け数等）、加工工数や加工時間、形材や部品の単価、加工費、重量等の製造や原価計算等に必要な情報が記憶されている。
【００７２】
なお、形材の切断寸法は入力されたドア枠の各寸法情報に基づいて計算される。加工工数は、各形材や部品毎に予めマスターテーブルに入力されている情報から転記している。この際、例えば、ねじ穴等の形材の長さ寸法に応じて数が設定されるものは、前記形材寸法とねじピッチ情報とから計算されている。
加工工数の作業時間、加工費等は、加工工数マスターテーブルを参照して計算される。形材単価は、型番および色毎に単価が入力された枠バー材マスターテーブルから転記される。
【００７３】
また、ドア製造メーカーでは、前記記録テーブルの情報を元に、形材・部品リストと、形材切断リストとを出力し、その情報を元に各形材、部品を製造することもできる。また、上記情報から原価計算プログラムを利用して工場原価計算書を出力し、製造情報として利用することもできる。さらに、デザイン姿図や各枠、扉、形材の組み合わせ図などを元に、製品図作成プログラムを実行し、製品図を出力して製造情報として利用することもできる。
【００７４】
このような本発明においては、次のような効果がある。
（１）個性的なドアを設計、施工したいと望む施主、設計者（デザイナー）の要望に対応することができる。このため、個性的なドアを設計、製造することができ、ドア製造メーカーは施主、デザイナーの多様な要望に対応することができる。
（２）フルオーダーのドアを製造する場合、そのドアが製造可能であるのか否か、要望される性能を発揮できるのか否かをドア製造メーカーが個別に検証しなければならず、製造可能か否かの判断に時間およびコストがかかるが、本実施形態では、設計時にその場で確実に判断することができる。
【００７５】
（３）ドア枠の構造や、枠や框の幅寸法等のドアの性能に影響する条件は、選択式にしているので、予め性能実験等を行っておくことができ、設計されたドアの性能をある程度保証することができる。このため、設計されたドア毎に個別に性能試験を行う場合に比べて、製造するための費用を大幅に低減できる。
【００７６】
（４）枠や框において、その幅寸法（押出方向に直行する方向）等金型製造に影響するパラメータつまり製造コストに直結する部品の製造コストを大幅に低減することができる。従って、設計者の要望に応えながら、比較的安価にドアを製造することができる。
【００７７】
（５）個別の性能試験や新たな金型を製造する必要がないため、設計されたドアを製造する工期を通常の規格品に近い程度まで短縮することができる。このため、一般的な住宅の施工期間（約３ヶ月程度）内に設計されたドアを提供でき、ドア製造による工期延長を防止できる。
【００７８】
（６）ドアは、住宅においてその住宅を印象づける重要な部位であり、家の顔ともいうべきものである。このため、本実施形態によって、施主や設計者の要望に応じたデザイン、色、サイズのドアを製造することで、住宅の差別化、個性化を達成できる。
【００７９】
（７）ドアの設計と同時に、必要となる形材や部品の情報、加工情報を一覧表に出力しているので、ドア製造メーカーは、その一覧表に基づいて設計されたドアを容易に製造することができる。このため、ドア製造メーカー側で形材、部品情報や加工情報を抽出して製造する場合に比べて、ドア製造メーカーの負担を軽減できる。このため、個別に設計されたドアでありながら、比較的短期間で製造することができ、製造コストも比較的低減することができる。
【００８０】
（８）ドア枠や扉の姿図を表示しているので、設計者は設計しているドアをイメージしやすく、自らがイメージするドアを比較的容易に設計することができ、ドア製造メーカーは、施主や設計者等の顧客の満足度の高いドアを製造できる。その上、玄関ドア設計時に、製品原価や製作（製造）時間等の情報も算出されるので、これらの情報に基づく販売価格や納期情報を見積書等により設計者側に提示することができる。このため、設計者は、玄関ドアのデザインだけでなく、そのドアの製造の可否、概算の販売価格、納期（製作時間情報）等を考慮して、独自の玄関ドアを設計することができ、顧客満足度をより一層向上できる。
【００８１】
（９）施主や設計者が直接設計したドアのデータを、ドア製造メーカーが直接受けてドアを製造できるので、ドアのデザイン作成者とメーカーとが直接情報をやり取りしてコミュニケーションを取ることができる。このため、製造されたドアのデザイン、仕様、価格、納期等に関し、設計者とメーカーとの間でトラブルになることがない。
また、メーカーは、ユーザーから直接情報が得られるので、市場動向、デザイン傾向等のマーケット情報を入手でき、規格品の新商品開発にその情報を反映させることもできる。
さらに、施主などのデザイン作成者とメーカーとが直接コミュニケーションを取ることにより、リフォームや新築等の先行物件情報を入手し易くでき、ドア製造メーカーは自社商品の営業力を強化することができる。
【００８２】
（１０）新築物件において、ドアの選定は住宅メーカーに委ねられていることが多かったが、本実施形態では、施主等が比較的簡単に自らが希望するドアを発注することができる。このため、ドア製造メーカーは、新築物件に対して玄関ドアのみを分離発注させることができて売上増加を図ることができ、マーケットシェアの拡大も実現できる。
【００８３】
次に、本発明の第２実施形態について説明する。
本実施形態の玄関ドア設計システム１Ａは、上記玄関ドアの設計処理を、インターネット等の電気通信回線を介して接続されたクライアントコンピュータおよびサーバコンピュータを利用して実現したものである。
すなわち、本実施形態は、図２７に示すように、玄関ドア設計用サーバ装置８２０と、玄関ドア設計用サーバ装置８２０に対し、電気通信回線であるインターネット２を介して接続可能なクライアント端末８１０とを備えている。
【００８４】
ここで、クライアント端末８１０は、住宅の設計事務所や、建物を建設しようとする各施主が用意している一般的なパソコンが利用可能であり、そのハードウェア構成は前記コンピュータ１０と同様のものであるため、説明を略す。但し、前記玄関ドア設計用サーバ装置８２０にアクセスして、サーバ装置８２０からの情報を受信して表示装置に出力する受信情報出力手段およびサーバ装置８２０に対して入力された情報を送信する入力情報送信手段として機能するブラウザソフトが組み込まれている。
【００８５】
一方、玄関ドア設計用サーバ装置８２０も、ハードウェアはコンピュータ２０と同様の構成を有するものである。玄関ドア設計用サーバ装置８２０は、ＷＷＷサーバ機能を備えており、記憶装置２４に記憶された各種の情報（コンテンツ）をアクセスしてきたクライアント端末８１０に対して出力できるようされている。そして、このコンテンツとしては、玄関ドアを設計するために必要な情報、ツールが記憶されているため、玄関ドア設計用サーバ装置８２０によって、玄関ドアを設計する機能を提供する「玄関ドア設計サイト（ホームページ）」が運営されている。
【００８６】
この玄関ドア設計用サーバ装置８２０の記憶装置２４には、前記第１実施形態のコンピュータ１０と同じマスターテーブルと情報記憶テーブルとが記憶されている。また、処理装置２３も、前記第１実施形態のコンピュータ１０と処理装置１３と同じ各処理手段が設けられている。
さらに、クライアント端末８１０から送信された情報を処理手段２３に入力する受信情報入力手段と、クライアント端末８１０に対して情報を出力してクライアント端末８１０の表示手段に情報を表示させる表示情報送信手段として機能する通信機器１５を備えている。
【００８７】
このような本実施形態においては、各種入力がクライアント端末８１０で行われ、入力された情報の処理および記憶が玄関ドア設計用サーバ装置８２０で行われる点を除き、前記第１実施形態と同様の手順で玄関ドアの設計が行われる。従って、その詳細は説明を略す。
【００８８】
この第２実施形態においても、前記第１実施形態と同じ作用効果を奏することができる。
さらに、本実施形態では、玄関ドア設計用サーバ装置８２０がドア製造メーカーに設置されているので、各マスターテーブルのメンテナンスや、各処理手段の改良等も容易に行え、常に最新の情報で玄関ドアを設計することができる。
また、クライアント端末８１０側は、ブラウザソフトが組み込まれていれば、本システムで玄関ドアを設計することができるので、通常のパソコン等を所有するものであれば誰もが玄関ドアの設計を容易に行うことができる。
【００８９】
なお、本発明は前記各実施形態に限らない。例えば、前記実施形態では、玄関ドア枠や扉の姿図を作成していたが、さらに、玄関ドアが組み込まれる建物の画像データに設計した玄関ドアを組み込んで表示して、建物とのマッチングを確かめて設計してもよい。なお、建物の画像データとしては、例えばドアをリフォームする場合には、実際の建物玄関のデジタル写真データを利用してもよいし、システムに予め登録された各種住宅（和風、南欧風、北米風、和洋折衷等）用の画像データを利用してもよい。なお、この際、ドア周辺部のモルタル、タイル、サイディング等に関しても選択可能にして、玄関ドアと周囲の壁部分とのマッチングイメージを確認できるようにしてもよい。
さらに、玄関ドアを設計する際に用いられるドア枠情報入力処理手段１１０、扉情報入力処理手段１２０、色情報入力処理手段１３０、金物情報入力処理手段１４０、作図手段１５０、入力情報出力手段１６０、処理メニュー表示手段１７０の各処理手段の具体的な構成は、前記実施形態に限らない。例えば、ドア枠の寸法などは姿図４２０を表示して入力するようにしていたが、扉の場合と同様の表形式の入力欄を設けて入力させてもよい。逆に、扉の寸法は、扉姿図５７０に寸法入力欄を設けて入力させてもよい。要するに、各処理手段は、入力操作性などを考慮して設定すればよい。
【００９０】
さらに、各記録テーブルの記録データ項目は、前記実施形態に限らず、入力させたいあるいは提供したいデータ項目などを考慮して適宜設定すればよい。
また、各コンピュータ１０，２０、クライアント端末８１０、玄関ドア設計用サーバ装置８２０の具体的な構成は前記実施形態に限らず、実施にあたって適宜設定すればよい。
【００９１】
また、前記各実施形態では、玄関ドア設計システム１上で玄関ドアの設計が完了するが、このシステム１に、玄関ドア製造メーカーと、施主やデザイナー等の設計者とのコミュニケーションを図るためのメール等のツールを設け、直接、メーカーと設計者とが連絡をとって相談できるようにしてもよい。
【００９２】
前記実施形態では、室内外方向に開閉されるドアを設計する場合について説明したが、引戸（スライディングドア）を設計する場合に、本発明を適用してもよいし、引戸およびドアの両方を含む玄関ドア（玄関建具）を設計する場合に本発明を利用してもよい。なお、玄関引戸を設計可能とする場合には、引戸用のドア枠や扉を設計するための情報を各マスターテーブルに記録しておき、この引戸用ドア枠や扉を選択、入力できるようにすればよい。
【００９３】
前記実施形態では、玄関ドアの設計からドア製造メーカーへの発注処理まで実行可能であったが、さらに、設計者に対して玄関ドアの製作状況（進捗情報）などの提示、発送情報、入金処理などのドア製造から納品、入金までの各プロセスの処理も行えるようなシステムにしてもよい。
【００９４】
【発明の効果】
本発明によれば、施主やデザイナー等の専門知識が無い人であっても玄関ドアをデザインすることができ、かつ玄関ドア製造メーカーにおけるその玄関ドアの製作、施工までの時間を短縮でき、コストも低減できる玄関ドア設計システム、玄関ドア設計用サーバ装置、玄関ドア設計プログラムおよび玄関ドア設計方法を提供できる。
【図面の簡単な説明】
【図１】本発明の第１実施形態の玄関ドア設計システムを示す構成図である。
【図２】前記実施形態で記憶装置に記憶されたマスターテーブルの構成を示すブロック図である。
【図３】前記実施形態で記憶装置に記憶された情報記憶テーブルの構成を示すブロック図である。
【図４】前記実施形態の処理装置の構成を示すブロック図である。
【図５】前記実施形態におけるドア枠情報入力処理手段の構成を示すブロック図である。
【図６】前記実施形態における扉情報入力処理手段の構成を示すブロック図である。
【図７】前記実施形態の玄関ドア設計システムの処理手順を示すフローチャートである。
【図８】前記実施形態において表示手段に表示される処理メニューを示す図である。
【図９】前記実施形態のドア枠情報入力手段の処理手順を示すフローチャートである。
【図１０】前記実施形態において表示手段に表示されるドア枠情報入力画面を示す図である。
【図１１】前記実施形態において表示手段に表示されるドアの図面を示す図である。
【図１２】前記実施形態の扉情報入力手段の処理手順を示すフローチャートである。
【図１３】前記実施形態において表示手段に表示される扉情報の入力画面を示す図である。
【図１４】前記実施形態において表示手段に表示される扉情報の入力画面を示す図である。
【図１５】前記実施形態において表示手段に表示される扉情報の入力画面を示す図である。
【図１６】扉の姿図およびガラスパネルの入力画面を示す図である。
【図１７】ガラスパネルが入力された扉の姿図を示す図である。
【図１８】枠およびドアの主要色と、各部品の標準色との対応表を示す図である。
【図１９】ドア枠情報記憶テーブルに記憶されたデータを示す図である。
【図２０】ドア枠情報記憶テーブルに記憶されたデータを示す図である。
【図２１】扉情報記憶テーブルに記憶されたデータを示す図である。
【図２２】扉情報記憶テーブルに記憶されたＧＰ額縁データを示す図である。
【図２３】扉情報記憶テーブルに記憶されたＧＰ額縁データを示す図である。
【図２４】出力処理において印刷される展開リストを示す図である。
【図２５】出力処理において印刷される展開リストを示す図である。
【図２６】出力処理において印刷される見積書を示す図である。
【図２７】本発明の第２実施形態の玄関ドア設計システム１Ａを示す図である。
【符号の説明】
１，１Ａ…玄関ドア設計システム、２…インターネット、１０，２０…コンピュータ、３０…ドア枠用マスターテーブル、４０…扉用マスターテーブル、５０…金物用マスターテーブル、６０…開口用マスターテーブル、７０…色情報用マスターテーブル、８０…共用マスターテーブル、１１０…ドア枠情報入力処理手段、１２０…扉情報入力処理手段、１３０…色情報入力処理手段、１４０…金物情報入力処理手段、１５０…作図手段、１６０…入力情報出力手段、１７０…処理メニュー表示手段、２１０…ドア枠情報記憶テーブル、２２０…扉情報記憶テーブル、２３０…色情報記憶テーブル、２４０…金物情報記憶テーブル、３１０…処理メニュー、４１０…玄関ドア枠選択表、８１０…クライアント端末、８２０…玄関ドア設計用サーバ装置。
【図１】
2004263434.tif 000003
【図２】
2004263434.tif 000004
【図３】
2004263434.tif 000005
【図４】
2004263434.tif 000006
【図５】
2004263434.tif 000007
【図６】
2004263434.tif 000008
【図７】
2004263434.tif 000009
【図８】
2004263434.tif 000010
【図９】
2004263434.tif 000011
【図１０】
2004263434.tif 000012
【図１１】
2004263434.tif 000013
【図１２】
2004263434.tif 000014
【図１３】
2004263434.tif 000015
【図１４】
2004263434.tif 000016
【図１５】
2004263434.tif 000017
【図１６】
2004263434.tif 000018
【図１７】
2004263434.tif 000019
【図１８】
2004263434.tif 000020
【図１９】
2004263434.tif 000021
【図２０】
2004263434.tif 000022
【図２１】
2004263434.tif 000023
【図２２】
2004263434.tif 000024
【図２３】
2004263434.tif 000025
【図２４】
2004263434.tif 000026
【図２５】
2004263434.tif 000027
【図２６】
2004263434.tif 000028
【図２７】
2004263434.tif 000029